(57)【要約】      （修正有）【課題】内側ブーム材の後端部の上部に設けられたスライディングパッドの突出量を容易に調節可能な伸縮ブームを提供する。【解決手段】この伸縮ブームは、筒状の外側ブーム材に対して軸方向に相対移動可能にその外側ブーム材の内側に挿嵌され、上側及び後側に開口する凹部が後端部の上部に設けられた内側ブーム材と、凹部に嵌め込まれて外側ブーム材の上部の内面に対して当接可能に配置された上側スライディングパッド６ａ，６ｂと、上側スライディングパッド６ａ，６ｂと凹部内の対応する底面との間に介装されるスペーサと、凹部に嵌め込まれた上側スライディングパッド６ａ，６ｂ及びスペーサの後面を覆うように内側ブーム材の後端面に着脱可能に取り付けられる押え部材１４ａ，１４ｂとを備える。【選択図】図４
2012001321.tif 000002
【特許請求の範囲】
【請求項１】
クレーンに起伏自在に設けられ、伸縮可能に構成された伸縮ブームであって、
筒状に形成された外側ブーム材と、
筒状に形成され、前記外側ブーム材に対して軸方向に相対移動可能にその外側ブーム材の内側に挿嵌され、少なくとも上側及び後側に開口する凹部が後端部の上部に設けられた内側ブーム材と、
前記凹部に嵌め込まれて前記外側ブーム材の上部の内面に対して当接可能に配置されたスライディングパッドと、
前記スライディングパッドのうち前記外側ブーム材の内面に接触する面の裏側の面と前記凹部の底面との間に介装されるスペーサと、
前記凹部に嵌め込まれた前記スライディングパッドを前記内側ブーム材の後端部に固定するための固定部材と、
前記凹部に嵌め込まれた前記スライディングパッド及び前記スペーサの後面を覆うように前記内側ブーム材の後端面に着脱可能に取り付けられ、前記スライディングパッドを後側から支持する押え部材とを備えた、伸縮ブーム。
【請求項２】
前記外側ブーム材は、その幅方向に延び、当該外側ブーム材の上面を構成する外側天板部と、前記外側天板部の幅方向の一方側に配置されて上下方向に延び、当該外側ブーム材の幅方向の一方側の側面を構成する第１外側側板部と、前記外側天板部の幅方向の他方側に配置されて上下方向に延び、当該外側ブーム材の幅方向の他方側の側面を構成する第２外側側板部とを含み、
前記内側ブーム材は、前記外側天板部と略平行に配置され、当該内側ブーム材の上面を構成する内側天板部と、前記内側天板部に対して前記第１外側側板部側に配置され、その第１外側側板部と略平行に延びる第１内側側板部と、前記内側天板部に対して前記第２外側側板部側に配置され、その第２外側側板部と略平行に延びる第２内側側板部とを含み、
前記凹部として、前記内側ブーム材の後端部の上部のうち幅方向の中心に対して一方側に第１凹部が設けられ、他方側に第２凹部が設けられ、
前記第１凹部及び前記第２凹部は、それぞれ上側及び後側に加えて前記内側ブーム材の幅方向外側に開口し、
前記スライディングパッドは、前記第１凹部に嵌め込まれて前記外側ブーム材の前記外側天板部の下面及び前記第１外側側板部の内面に対して当接可能に配置された第１スライディングパッドと、前記第２凹部に嵌め込まれて前記外側ブーム材の前記天板部の下面及び前記第２外側側板部の内面に対して当接可能に配置された第２スライディングパッドとを含む、請求項１に記載の伸縮ブーム。
【請求項３】
前記内側天板部は、前記外側天板部の下面に略平行に配置される上面を有し、
前記第１内側側板部は、前記第１外側側板部の内面に略平行に配置される外面を有し、
前記第２内側側板部は、前記第２外側側板部の内面に略平行に配置される外面を有し、
前記第１凹部の底面は、前記第１内側側板部の外面から前記内側天板部の上面に対して略平行に前記内側ブーム材の幅方向内側へ延びる第１横面と、前記内側天板部の上面から前記第１内側側板部の外面に対して略平行に下方へ延びる第１縦面とを含み、
前記第２凹部の底面は、前記第２内側側板部の外面から前記内側天板部の上面に対して略平行に前記内側ブーム材の幅方向内側へ延びる第２横面と、前記内側天板部の上面から前記第２内側側板部の外面に対して略平行に下方へ延びる第２縦面とを含み、
前記第１スペーサは、前記第１横面と前記第１スライディングパッドの対応する面との間に介装される第１横面用スペーサと、前記第１縦面と前記第１スライディングパッドの対応する面との間に介装される第１縦面用スペーサとを含み、
前記第２スペーサは、前記第２横面と前記第２スライディングパッドの対応する面との間に介装される第２横面用スペーサと、前記第２縦面と前記第２スライディングパッドの対応する面との間に介装される第２縦面用スペーサとを含む、請求項２に記載の伸縮ブーム。
【請求項４】
前記第１凹部の底面は、前記第１横面及び前記第１縦面に加えて、前記第１横面のうち前記内側ブーム材の幅方向内側に位置する端部と前記第１縦面の下端部とを繋ぎ、下方へ向かうにつれて前記第１外側面側へ向かうように傾斜する第１斜面部を含み、
前記第２凹部の底面は、前記第２横面及び前記第２縦面に加えて、前記第２横面のうち前記内側ブーム材の幅方向内側に位置する端部と前記第２縦面の下端部とを繋ぎ、下方へ向かうにつれて前記第２外側面側へ向かうように傾斜する第２斜面部を含み、
前記内側ブーム材の後端部には、前記第１斜面部から当該内側ブーム材の内部の空間へその第１斜面部に対して略垂直に貫通する第１貫通穴と、前記第２斜面部から当該内側ブーム材の内部の空間へその第２斜面部に対して略垂直に貫通する第２貫通穴とが設けられ、
前記第１スライディングパッドのうち前記第１斜面部と対向する部分には、第１ボルト穴が設けられ、
前記第２スライディングパッドのうち前記第２斜面部と対向する部分には、第２ボルト穴が設けられ、
前記固定部材は、前記内側ブーム材の内側から前記第１貫通穴に挿通されて前記第１ボルト穴に螺合され、前記第１スライディングパッドを締結する第１ボルトと、前記内側ブーム材の内側から前記第２貫通穴に挿通されて前記第２ボルト穴に螺合され、前記第２スライディングパッドを締結する第２ボルトとを含む、請求項３に記載の伸縮ブーム。
【請求項５】
前記第１貫通穴は、前記第１斜面部の傾斜方向に長い長穴であり、前記第２貫通穴は、前記第２斜面部の傾斜方向に長い長穴である、請求項４に記載の伸縮ブーム。
【発明の詳細な説明】
【技術分野】
【０００１】
本発明は、伸縮ブームに関するものである。
【背景技術】
【０００２】
従来、クレーンに設けられるブームの一例として、軸方向に伸縮可能に構成された伸縮ブームが知られており、下記特許文献１には、このような伸縮ブームの一例が開示されている。
【０００３】
特許文献１に開示された伸縮ブームは、互いに径の異なる複数の筒状のブーム材を備えており、大径のブーム材の内側に小径のブーム材が挿嵌されることによってこれらのブーム材同士が組み合わされている。内側ブーム材は、外側ブーム材に対して軸方向に相対移動可能であり、その相対移動によって伸縮ブームが伸縮する。各ブーム材は、略矩形状の上部と半円状の下部とを有する断面形状を有している。
【０００４】
内側ブーム材の後端部のうち上部に位置する幅方向両側の角部の外面と、内側ブーム材の後端部の下部の外面のうち幅方向両側に位置する箇所とには、内側スライディングパッドがそれぞれ設けられている。また、外側ブーム材の先端部のうち上部に位置する幅方向両側の角部の内面と、外側ブーム材の先端部の下部の内面とには、外側スライディングパッドがそれぞれ設けられている。内側スライディングパッドは、内側ブーム材が外側ブーム材に対して軸方向に相対移動する際に外側ブーム材の内面に摺接し、外側スライディングパッドは、内側ブーム材が外側ブーム材に対して軸方向に相対移動する際に内側ブーム材の外面に摺接する。内側スライディングパッドのうち内側ブーム材の後端部の上部の両角部に設けられたスライディングパッドは、内側ブーム材の後端面に溶接された板状の後部カラーと、その後部カラーの前方に離間した位置で内側ブーム材の上面に溶接された板状の前部カラーとの間で挟み込まれることによって内側ブーム材に固定されている。
【先行技術文献】
【特許文献】
【０００５】
【特許文献１】特許第２８２８７７９号公報
【発明の概要】
【発明が解決しようとする課題】
【０００６】
ところで、伸縮ブームに吊り荷重が掛かったときには、内側ブーム材の後端部の上部からその上部に設けられたスライディングパッドを介して外側ブーム材へ荷重が伝達されるようにするために、内側ブーム材の上部の外面と外側ブーム材の上部の内面との間の隙間の大きさに合わせて内側ブーム材の上部の外面からのスライディングパッドの突出量を調節しておく必要がある。
【０００７】
しかしながら、上記特許文献１に記載された伸縮ブームでは、内側ブーム材の後端部の上面からのスライディングパッドの突出量の調節作業が煩雑になるという問題点がある。
【０００８】
具体的には、上記の伸縮ブームにおいて、内側ブーム材の後端部の上面からのスライディングパッドの突出量を調節する場合には、内側ブーム材を外側ブーム材から抜き出した後、スライディングパッドの表面を切削してスライディングパッドの厚みを調整し、その後、内側ブーム材を外側ブーム材の内側に挿入し直すといった作業をスライディングパッドの突出量が内側ブーム材の上部の外面と外側ブーム材の上部の内面との間の隙間に応じた適切な突出量になるまで繰り返す必要があり、その作業が煩雑である。
【０００９】
この発明は、上記の課題を解決するためになされたものであり、その目的は、内側ブーム材の後端部の上部に設けられたスライディングパッドの突出量を容易に調節可能な伸縮ブームを提供することである。
【課題を解決するための手段】
【００１０】
上記目的を達成するために、本発明による伸縮ブームは、クレーンに起伏自在に設けられ、伸縮可能に構成された伸縮ブームであって、筒状に形成された外側ブーム材と、筒状に形成され、前記外側ブーム材に対して軸方向に相対移動可能にその外側ブーム材の内側に挿嵌され、少なくとも上側及び後側に開口する凹部が後端部の上部に設けられた内側ブーム材と、前記凹部に嵌め込まれて前記外側ブーム材の上部の内面に対して当接可能に配置されたスライディングパッドと、前記スライディングパッドのうち前記外側ブーム材の内面に接触する面の裏側の面と前記凹部の底面との間に介装されるスペーサと、前記凹部に嵌め込まれた前記スライディングパッドを前記内側ブーム材の後端部に固定するための固定部材と、前記凹部に嵌め込まれた前記スライディングパッド及び前記スペーサの後面を覆うように前記内側ブーム材の後端面に着脱可能に取り付けられ、前記スライディングパッドを後側から支持する押え部材とを備えている。
【００１１】
この伸縮ブームでは、内側ブーム材の後端部の上部に設けられ、スライディングパッドが嵌め込まれる凹部が上側及び後側に開口しており、その凹部に嵌め込まれたスライディングパッド及びスペーサの後面を覆う押え部材が内側ブーム材の後端面に着脱可能であるため、内側ブーム材の後端部の上面からのスライディングパッドの突出量をスペーサにより容易に調節することができる。
【００１２】
具体的には、この伸縮ブームでは、内側ブーム材の後端部の上部に設けられた凹部が後側に開口しているから、内側ブーム材を外側ブーム材内に没入させた状態のまま、筒状の外側ブーム材の後方からその外側ブーム材の開口を通じて押え板を内側ブーム材の後端面から取り外すことができるとともにスペーサを交換することができる。すなわち、この伸縮ブームでは、内側ブーム材を外側ブーム材の内部に挿嵌したままでスペーサを交換して内側ブーム材の後端部の上面からのスライディングパッドの突出量を調節することができる。このため、従来のように内側ブーム材を外側ブーム材から抜き出して挿入し直すという煩雑かつ大掛かりな作業を繰り返すことなく、内側ブーム材の後端部の上面からのスライディングパッドの突出量を調節することができる。また、この伸縮ブームでは、内側ブーム材の外面と外側ブーム材の内面との間の隙間の大きさに応じた厚みのスペーサをスライディングパッドのうち外側ブーム材の内面に接触する面の裏側の面と凹部の底面との間に介装することで、内側ブーム材の後端部の上面からのスライディングパッドの突出量を内側ブーム材の外面と外側ブーム材の内面との間の隙間の大きさに応じた突出量に調節することができる。すなわち、この伸縮ブームでは、従来のようにスライディングパッドの表面を切削するという煩雑な作業を行うことなく、スライディングパッドの突出量を調節することができる。以上のことから、この伸縮ブームでは、内側ブーム材の後端部の上部に設けられたスライディングパッドの突出量を従来に比べて容易に調節することができる。
【００１３】
上記伸縮ブームにおいて、前記外側ブーム材は、その幅方向に延び、当該外側ブーム材の上面を構成する外側天板部と、前記外側天板部の幅方向の一方側に配置されて上下方向に延び、当該外側ブーム材の幅方向の一方側の側面を構成する第１外側側板部と、前記外側天板部の幅方向の他方側に配置されて上下方向に延び、当該外側ブーム材の幅方向の他方側の側面を構成する第２外側側板部とを含み、前記内側ブーム材は、前記外側天板部と略平行に配置され、当該内側ブーム材の上面を構成する内側天板部と、前記内側天板部に対して前記第１外側側板部側に配置され、その第１外側側板部と略平行に延びる第１内側側板部と、前記内側天板部に対して前記第２外側側板部側に配置され、その第２外側側板部と略平行に延びる第２内側側板部とを含み、前記凹部として、前記内側ブーム材の後端部の上部のうち幅方向の中心に対して一方側に第１凹部が設けられ、他方側に第２凹部が設けられ、前記第１凹部及び前記第２凹部は、それぞれ上側及び後側に加えて前記内側ブーム材の幅方向外側に開口し、前記スライディングパッドは、前記第１凹部に嵌め込まれて前記外側ブーム材の前記外側天板部の下面及び前記第１外側側板部の内面に対して当接可能に配置された第１スライディングパッドと、前記第２凹部に嵌め込まれて前記外側ブーム材の前記天板部の下面及び前記第２外側側板部の内面に対して当接可能に配置された第２スライディングパッドとを含むことが好ましい。
【００１４】
この構成によれば、スライディングパッドが外側ブーム材の外側天板部の下面及び両側板部の内面に当接できるため、内側ブーム材が外側ブーム材に対して軸方向に相対移動する際、上下方向及び横方向の両方向についてがたつきを生じるのを防止することができる。また、この構成によれば、伸縮ブームに吊り荷重及び横方向の荷重が掛かったときに、内側ブーム材からスライディングパッドを介して外側ブーム材へ上向きの荷重及び横方向への荷重の両方を有効に伝達することができる。
【００１５】
この場合において、前記内側天板部は、前記外側天板部の下面に略平行に配置される上面を有し、前記第１内側側板部は、前記第１外側側板部の内面に略平行に配置される外面を有し、前記第２内側側板部は、前記第２外側側板部の内面に略平行に配置される外面を有し、前記第１凹部の底面は、前記第１内側側板部の外面から前記内側天板部の上面に対して略平行に前記内側ブーム材の幅方向内側へ延びる第１横面と、前記内側天板部の上面から前記第１内側側板部の外面に対して略平行に下方へ延びる第１縦面とを含み、前記第２凹部の底面は、前記第２内側側板部の外面から前記内側天板部の上面に対して略平行に前記内側ブーム材の幅方向内側へ延びる第２横面と、前記内側天板部の上面から前記第２内側側板部の外面に対して略平行に下方へ延びる第２縦面とを含み、前記第１スペーサは、前記第１横面と前記第１スライディングパッドの対応する面との間に介装される第１横面用スペーサと、前記第１縦面と前記第１スライディングパッドの対応する面との間に介装される第１縦面用スペーサとを含み、前記第２スペーサは、前記第２横面と前記第２スライディングパッドの対応する面との間に介装される第２横面用スペーサと、前記第２縦面と前記第２スライディングパッドの対応する面との間に介装される第２縦面用スペーサとを含むことが好ましい。
【００１６】
この構成によれば、内側天板部の上面と外側天板部の下面との間の隙間の大きさに応じた厚みの第１横面用スペーサを第１凹部の第１横面と第１スライディングパッドの対応する面との間に介装することで第１スライディングパッドの上下方向における突出量を調節することができる。また、第１内側側板部の外面と第１外側側板部の内面との間の隙間の大きさに応じた厚みの第１縦面用スペーサを第１凹部の第１縦面と第１スライディングパッドの対応する面との間に介装することで内側ブーム材の幅方向における第１スライディングパッドの突出量を調節することができる。また、内側天板部の上面と外側天板部の下面との間の隙間の大きさに応じた厚みの第２横面用スペーサを第２凹部の第２横面と第２スライディングパッドの対応する面との間に介装することで第２スライディングパッドの上下方向における突出量を調節することができる。また、第２内側側板部の外面と第２外側側板部の内面との間の隙間の大きさに応じた厚みの第２縦面用スペーサを第２凹部の第２縦面と第２スライディングパッドの対応する面との間に介装することで内側ブーム材の幅方向における第２スライディングパッドの突出量を調節することができる。
【００１７】
この場合において、前記凹部は、前記内側ブーム材の後端部の上部のうち幅方向の中心に対して一方側と他方側とにそれぞれ設けられ、前記内側ブーム材の後端部の上部のうち幅方向の中心に対して一方側に設けられた前記凹部である第１凹部の内面は、前記内側ブーム材の前記一方側の外側面である第１外側面から前記内側ブーム材の上面に対して平行にその内側ブーム材の幅方向内側へ延びる第１横面と、前記内側ブーム材の上面から前記第１外側面に対して平行に下方へ延びる第１縦面とを含み、前記内側ブーム材の後端部の上部のうち幅方向の中心に対して他方側に設けられた前記凹部である第２凹部の内面は、前記内側ブーム材の前記他方側の外側面である第２外側面から前記内側ブーム材の上面に対して平行にその内側ブーム材の幅方向内側へ延びる第２横面と、前記内側ブーム材の上面から前記第２外側面に対して平行に下方へ延びる第２縦面とを含み、前記スライディングパッドは、前記第１凹部に嵌め込まれる第１スライディングパッドと、前記第２凹部に嵌め込まれる第２スライディングパッドとを含み、前記スペーサは、前記第１横面と前記第１スライディングパッドの対応する面との間に介装される第１横面用スペーサと、前記第１縦面と前記第１スライディングパッドの対応する面との間に介装される第１縦面用スペーサと、前記第２横面と前記第２スライディングパッドの対応する面との間に介装される第２横面用スペーサと、前記第２縦面と前記第２スライディングパッドの対応する面との間に介装される第２縦面用スペーサとを含むことが好ましい。
【００１８】
この構成によれば、第１スライディングパッドと第２スライディングパッドが内側ブーム材の後端部の上側に加えてその後端部の幅方向両外側において外側ブーム材の内面に接触することができるため、上下方向の荷重に加えて伸縮ブームの横方向の振れ等に起因する横方向の荷重についてもそれらのスライディングパッドで支えることができる。さらに、この構成では、第１横面用スペーサによって上下方向における第１スライディングパッドと外側ブーム材の内面との間の隙間を調節できるとともに、第１縦面用スペーサによって内側ブーム材の幅方向における第１スライディングパッドと外側ブーム材の内面との間の隙間を調節でき、第２横面用スペーサによって上下方向における第２スライディングパッドと外側ブーム材の内面との間の隙間を調節できるとともに、第２縦面用スペーサによって内側ブーム材の幅方向における第２スライディングパッドと外側ブーム材の内面との間の隙間を調節できる。このため、上下方向における両スライディングパッドと外側ブーム材の内面との間の隙間と内側ブーム材の幅方向における両スライディングパッドと外側ブーム材の内面との間の隙間とをそれぞれ規定の大きさに調節して、伸縮ブームに上下方向及び横方向の荷重が掛かったときに内側ブーム材が外側ブーム材に対してそれら上下方向及び横方向に過大な変位を生じるのを防ぐことができる。
【００１９】
さらにこの場合において、前記第１凹部の底面は、前記第１横面及び前記第１縦面に加えて、前記第１横面のうち前記内側ブーム材の幅方向内側に位置する端部と前記第１縦面の下端部とを繋ぎ、下方へ向かうにつれて前記第１外側面側へ向かうように傾斜する第１斜面部を含み、前記第２凹部の底面は、前記第２横面及び前記第２縦面に加えて、前記第２横面のうち前記内側ブーム材の幅方向内側に位置する端部と前記第２縦面の下端部とを繋ぎ、下方へ向かうにつれて前記第２外側面側へ向かうように傾斜する第２斜面部を含み、前記内側ブーム材の後端部には、前記第１斜面部から当該内側ブーム材の内部の空間へその第１斜面部に対して略垂直に貫通する第１貫通穴と、前記第２斜面部から当該内側ブーム材の内部の空間へその第２斜面部に対して略垂直に貫通する第２貫通穴とが設けられ、前記第１スライディングパッドのうち前記第１斜面部と対向する部分には、第１ボルト穴が設けられ、前記第２スライディングパッドのうち前記第２斜面部と対向する部分には、第２ボルト穴が設けられ、前記固定部材は、前記内側ブーム材の内側から前記第１貫通穴に挿通されて前記第１ボルト穴に螺合され、前記第１スライディングパッドを締結する第１ボルトと、前記内側ブーム材の内側から前記第２貫通穴に挿通されて前記第２ボルト穴に螺合され、前記第２スライディングパッドを締結する第２ボルトとを含むことが好ましい。
【００２０】
この構成によれば、第１凹部の第１横面と第１縦面に対して斜めに延びる第１ボルトで第１スライディングパッドを上下方向と内側ブーム材の幅方向の両方向について固定することができるため、第１スライディングパッドを上下方向について固定するためのボルトと第１スライディングパッドを内側ブーム材の幅方向について固定するためのボルトとを個別に設ける場合に比べて第１スライディングパッドを固定するためのボルトの数を削減することができる。また、第２ボルトも同様に第２スライディングパッドを上下方向と内側ブーム材の幅方向の両方向について固定することができるため、第２スライディングパッドを固定するためのボルトの数を削減することができる。
【００２１】
さらにこの場合において、前記第１貫通穴は、前記第１斜面部の傾斜方向に長い長穴であり、前記第２貫通穴は、前記第２斜面部の傾斜方向に長い長穴であることが好ましい。
【００２２】
この構成によれば、第１横面用スペーサの厚みと第１縦面用スペーサの厚みとが異なることにより第１スライディングパッドの位置が両スペーサの厚みが同じ場合の第１スライディングパッドの位置から第１横面又は第１縦面に垂直な方向にずれたとしても、その第１スライディングパッドの位置ずれに追従して第１ボルトを第１貫通穴の中で第１斜面部の傾斜方向に沿って位置をずらすことにより、第１スライディングパッドを有効に締結することができる。また、第２横面用スペーサの厚みと第２縦面用スペーサの厚みとが異なった場合も同様に、第２スライディングパッドの位置ずれに追従して第２ボルトを第２貫通穴の中で第２斜面部の傾斜方向に沿って位置をずらすことにより、第２スライディングパッドを有効に締結することができる。
【発明の効果】
【００２３】
以上説明したように、本発明によれば、内側ブーム材の後端部の上部に設けられたスライディングパッドの突出量を容易に調節可能な伸縮ブームを提供することができる。
【図面の簡単な説明】
【００２４】
【図１】本発明の一実施形態による伸縮ブームが適用されるクレーンの概略的な側面図である。
【図２】本発明の一実施形態による伸縮ブームにおいて上側スライディングパッドの突出量を調節する際の内側ブーム材と外側ブーム材との相対的な配置を概略的に示すそれら両ブーム材の後端部近傍の側面図である。
【図３】外側ブーム材の内部に内側ブーム材が没入した状態における伸縮ブームの軸方向に垂直な断面を概略的に示す図である。
【図４】本発明の一実施形態による伸縮ブームの内側ブーム材の後端部の斜視図である。
【図５】図４に示した内側ブーム材の後端部から押え部材と上部スライディングパッドを取り外した状態を示す斜視図である。
【図６】図４に示した内側ブーム材の後端部から押え部材を取り外した状態のその後端部の上部を後方から見た図である。
【図７】図４に示した内側ブーム材の軸方向に垂直な方向における当該内側ブーム材の後端部の上部及び上側スライディングパッドの断面図である。
【発明を実施するための形態】
【００２５】
以下、本発明の実施形態を図面を参照して説明する。
【００２６】
まず、図１及び図２を参照して、本発明の一実施形態による伸縮ブームの構成について説明する。
【００２７】
本実施形態による伸縮ブーム２は、図１に示すようなクレーンの上部旋回体１０２に起伏自在に設けられており、伸縮可能に構成されている。この伸縮ブーム２の先端には、図略のワイヤロープを介して吊荷が吊り下げられる。
【００２８】
そして、本実施形態の伸縮ブーム２は、複数のブーム材３と、上側スライディングパッド６（図４参照）と、図略の下側スライディングパッドと、スペーサ１０（図６参照）と、固定部材１２（図７参照）と、押え部材１４（図４参照）と、押えボルト１６とを備えている。
【００２９】
各ブーム材３は、互いに径の異なる筒状に形成されており、大径のブーム材３の内側に小径のブーム材３が挿嵌されることによってこれらのブーム材３同士が組み合わされている。以下、大径のブーム材３でその内側に小径のブーム材３を受け入れるブーム材３を外側ブーム材４といい、その外側ブーム材４の内部に挿嵌されるブーム材３を内側ブーム材５という。内側ブーム材５は、外側ブーム材４に対して軸方向に相対移動可能であり、その相対移動によって伸縮ブーム２が伸縮する。
【００３０】
外側ブーム材４は、図３に示すように、外側天板部４ａ、第１外側側板部４ｂ、第１外側屈曲部４ｃ、第２外側側板部４ｄ、第２外側屈曲部４ｅ及び外側底板部４ｆを有している。
【００３１】
外側天板部４ａは、外側ブーム材４の幅方向に伸び、外側ブーム材４の上面を構成する平板状の部分である。
【００３２】
第１外側側板部４ｂは、外側ブーム材４の幅方向の一方側の側面を構成する平板状の部分である。この第１外側側板部４ｂは、外側天板部４ａの幅方向の一方側に配置されて上下方向に延びている。
【００３３】
第１外側屈曲部４ｃは、第１外側側板部４ｂの上端と外側天板部４ａの幅方向における第１外側側板部４ｂ側の端部とを繋いでおり、外側天板部４ａと第１外側側板部４ｂとの間で段階的に屈曲した形状に形成されている。
【００３４】
第２外側側板部４ｄは、外側ブーム材４の幅方向の他方側の側面を構成する平板状の部分である。この第２外側側板部４ｄは、外側天板部４ａの幅方向の他方側に配置されて上下方向に延びている。
【００３５】
第２外側屈曲部４ｅは、第２外側側板部４ｄの上端と外側天板部４ａの幅方向における第２外側側板部４ｄ側の端部とを繋いでおり、外側天板部４ａと第２外側側板部４ｄとの間で段階的に屈曲した形状に形成されている。
【００３６】
外側底板部４ｆは、外側ブーム材４の底面を構成する部分であり、第１外側側板部４ｂの下端部と第２外側側板部４ｄの下端部を繋いでいる。
【００３７】
内側ブーム材５は、内側天板部５ａ、第１内側側板部５ｂ、第１内側屈曲部５ｃ、第２内側側板部５ｄ、第２内側屈曲部５ｅ、内側底板部５ｆ及びカラー５ｇ（図４参照）を有する。
【００３８】
内側天板部５ａは、内側ブーム材５の上面５ｈを構成する平板状の部分であり、内側ブーム材５の幅方向及び長手方向に延びている。この内側天板部５ａは、外側天板部４ａと略平行に配置されている。
【００３９】
第１内側側板部５ｂは、内側ブーム材５の幅方向の一方の外側面である第１外側面５ｉを構成する平板状の部分である。この第１内側側板部５ｂは、内側天板部５ａに対して第１外側側板部４ｂ側に配置されており、上下方向及び内側ブーム材５の長手方向に延びている。なお、前記上下方向は、伸縮ブーム２が倒伏された状態における上下方向を意味しており、以下の説明においても同様である。また、第１内側側板部５ｂは、第１外側側板部４ｂに対して略平行に延びており、内側天板部５ａに対して垂直に配置されている。
【００４０】
第１内側屈曲部５ｃは、第１内側側板部５ｂの上端と内側天板部５ａの幅方向における第１内側側板部５ｂ側の端部とを繋いでおり、内側天板部５ａ側から第１内側側板部５ｂ側へ向かうにつれて段階的に屈曲した形状に形成されている。
【００４１】
第２内側側板部５ｄは、内側ブーム材５の幅方向の他方の外側面である第２外側面５ｊを構成する平板状の部分である。この第２内側側板部５ｄは、内側天板部５ａに対して第２外側側板部４ｄ側に配置されており、上下方向及び内側ブーム材５の長手方向に延びている。また、第２内側側板部５ｄは、第２外側側板部４ｄに対して略平行に延びており、内側天板部５ａに対して垂直に配置されている。
【００４２】
第２内側屈曲部５ｅは、第２内側側板部５ｄの上端と内側天板部５ａの幅方向における第２内側側板部５ｄ側の端部とを繋いでおり、内側天板部５ａ側から第２内側側板部５ｄ側へ向かうにつれて段階的に屈曲した形状に形成されている。
【００４３】
内側底板部５ｆは、内側ブーム材５の底面を構成する部分であり、第１内側側板部５ｂの下端部と第２内側側板部５ｄの下端部を繋いでいる。
【００４４】
カラー５ｇは、内側ブーム材５のうちその後端から所定距離だけ前側の位置において内側天板部５ａ、第１内側側板部５ｂ、第１内側屈曲部５ｃ、第２内側側板部５ｄ、第２内側屈曲部５ｅ及び内側底板部５ｆの外面に溶接された板状の部分である。このカラー５ｇは、内側ブーム材５の軸方向に対して垂直に配置されている。
【００４５】
内側ブーム材５の後端部の上部には、図５に示すように、第１凹部５ｋと第２凹部５ｍとが設けられている。なお、内側ブーム材５の後端部とは、クレーンの前部に配置された伸縮ブーム２が倒伏されたときに内側ブーム材５のうちクレーンの前後方向において後側に位置する端部のことであり、伸縮ブーム２の基端側に位置する端部のことである。このことは、以下の説明においても同様である。また、以下の説明において「後側」とは、クレーンの前部に配置された伸縮ブーム２が倒伏された状態でクレーンの前後方向における後側のことを意味する。第１凹部５ｋは、内側ブーム材５の後端部の上部のうち幅方向の中心に対して一方側に設けられており、第２凹部５ｍは、内側ブーム材５の後端部の上部のうち幅方向の中心に対して他方側に設けられている。具体的には、第１凹部５ｋは、内側ブーム材５の後端部の上部のうち第１内側屈曲部５ｃに対応する箇所に設けられており、第２凹部５ｍは、内側ブーム材５の後端部の上部のうち第２内側屈曲部５ｅに対応する箇所に設けられている。
【００４６】
第１凹部５ｋは、上側と後側と内側ブーム材５の幅方向外側とに開口している。第１凹部５ｋの底面は、第１横面５ｎと、第１縦面５ｐと、第１斜面部５ｑとを含む。
【００４７】
第１横面５ｎは、第１外側面５ｉから内側ブーム材５の上面５ｈに対して平行にその内側ブーム材５の幅方向内側へ延びている。
【００４８】
第１縦面５ｐは、内側ブーム材５の上面５ｈから第１外側面５ｉに対して平行に下方へ延びている。
【００４９】
第１斜面部５ｑは、第１横面５ｎのうち内側ブーム材５の幅方向内側に位置する端部と第１縦面５ｐの下端部とを繋ぎ、下方へ向かうにつれて第１外側面５ｉ側へ向かうように傾斜している。
【００５０】
第２凹部５ｍは、上側と後側と内側ブーム材５の幅方向外側とに開口している。この第２凹部５ｍは、内側ブーム材５の幅方向の中心に対して第１凹部５ｋと対称形に形成されている。この第２凹部５ｍの底面は、第２横面５ｒと、第２縦面５ｓ（図６参照）と、第２斜面部５ｔとを含む。
【００５１】
第２横面５ｒは、内側ブーム材５の第２外側面５ｊから内側ブーム材５の上面５ｈに対して平行にその内側ブーム材５の幅方向内側へ延びている。
【００５２】
第２縦面５ｓ（図６参照）は、内側ブーム材５の上面５ｈから前記第２外側面５ｊに対して平行に下方へ延びている。
【００５３】
第２斜面部５ｔは、第２横面５ｒのうち内側ブーム材５の幅方向内側に位置する端部と第２縦面５ｓの下端部とを繋ぎ、下方へ向かうにつれて前記第２外側面５ｊ側へ向かうように傾斜している。
【００５４】
また、内側ブーム材５の後端部の上部には、第１貫通穴５ｖと第２貫通穴５ｗ（図７参照）が設けられている。
【００５５】
第１貫通穴５ｖは、第１斜面部５ｑから内側ブーム材５の内部の空間へその第１斜面部５ｑが設けられた部位を当該第１斜面部５ｑに対して略垂直に貫通している。第１貫通穴５ｖは、第１斜面部５ｑに２つ形成されており、これら２つの第１貫通穴５ｖは、前後方向に互いに離間して配設されている。各第１貫通穴５ｖは、それぞれ第１斜面部５ｑの傾斜方向に長い長穴からなる。
【００５６】
また、内側ブーム材５の後端面には、図６に示すように、第１押えボルト穴５ｘと、第２押えボルト穴５ｙとが形成されている。第１押えボルト穴５ｘは、内側ブーム材５の後端面のうち第１凹部５ｋの周りに複数形成されており、第２押えボルト穴５ｙは、内側ブーム材５の後端面のうち第２凹部５ｍの周りに複数形成されている。
【００５７】
第２貫通穴５ｗは、第２斜面部５ｔから内側ブーム材５の内部の空間へその第２斜面部５ｔが設けられた部位を当該第２斜面部５ｔに対して略垂直に貫通している。第２貫通穴５ｗは、第２斜面部５ｔに２つ形成されており、これら２つの第２貫通穴５ｗは、前後方向に互いに離間して配設されている。各第２貫通穴５ｗは、それぞれ第２斜面部５ｔの傾斜方向に長い長穴からなる。
【００５８】
上側スライディングパッド６は、内側ブーム材５の後端部の上部に設けられた前記各凹部５ｋ，５ｍに嵌め込まれており、その状態で内側ブーム材５の外面から突出している。この上側スライディングパッド６は、内側ブーム材５が外側ブーム材４に対して軸方向に相対移動する際には外側ブーム材４の上部の内面に摺接し、外側ブーム材４に対する内側ブーム材５の上下方向及び幅方向におけるがたつきが生じるのを防止する。また、伸縮ブーム２の先端に吊り荷重が掛かった際には、内側ブーム材５の後端部の上部からこの上側スライディングパッド６を介して外側ブーム材４の上部へ上向きの荷重が伝達される。
【００５９】
上側スライディングパッド６は、第１凹部５ｋに嵌め込まれた第１上側スライディングパッド６ａと、第２凹部５ｍに嵌め込まれた第２上側スライディングパッド６ｂとからなる。
【００６０】
第１上側スライディングパッド６ａは、第１パッド上面部６ｅと、第１パッド外側面部６ｆと、第１パッド下面部６ｇ（図６参照）と、第１パッド内側面部６ｈと、第１パッド斜面部６ｉとを有する。
【００６１】
第１パッド上面部６ｅは、第１上側スライディングパッド６ａの上面である。この第１パッド上面部６ｅは、内側ブーム材５の上面５ｈと略平行に配置され、その上面５ｈよりも上側に位置する。この第１パッド上面部６ｅは、外側ブーム材４の外側天板部４ａの下面に接触する。
【００６２】
第１パッド外側面部６ｆは、第１上側スライディングパッド６ａのうち内側ブーム材５の幅方向外側に位置する外側面である。この第１パッド外側面部６ｆは、内側ブーム材５の第１外側面５ｉと略平行に配置され、その第１外側面５ｉよりも内側ブーム材５の幅方向外側に位置する。この第１パッド外側面部６ｆは、外側ブーム材４の第１外側側板部４ｂの内面に接触する。
【００６３】
第１パッド下面部６ｇは、第１上側スライディングパッド６ａの下面である。この第１パッド下面部６ｇは、第１凹部５ｋの第１横面５ｎに略平行に配置されるとともにその第１横面５ｎに対して対向配置される。
【００６４】
第１パッド内側面部６ｈは、第１上側スライディングパッド６ａのうち内側ブーム材５の幅方向内側に位置する内側面である。この第１パッド内側面部６ｈは、第１凹部５ｋの第１縦面５ｐに略平行に配置されるとともにその第１縦面５ｐに対して対向配置される。
【００６５】
第１パッド斜面部６ｉは、第１パッド下面部６ｇのうち内側ブーム材５の幅方向内側に位置する端部と第１パッド内側面部６ｈの下端部とを繋いでおり、第１凹部５ｋの第１斜面部５ｑに略平行に配置されるとともにその第１斜面部５ｑに対して対向配置される傾斜面である。
【００６６】
また、第１上側スライディングパッド６ａのうち第１パッド斜面部６ｉには、図７に示すように第１ボルト穴６ｊが形成されている。この第１ボルト穴６ｊは、第１パッド斜面部６ｉに対して略垂直に延びている。
【００６７】
第２凹部５ｍに嵌め込まれた第２上側スライディングパッド６ｂは、内側ブーム材５の幅方向の中心に対して第１上側スライディングパッド６ａと対称となる形状を有する。具体的には、第２上側スライディングパッド６ｂは、前記第１パッド上面部６ｅに対応する第２パッド上面部６ｍと、前記第１パッド外側面部６ｆに対応する第２パッド外側面部６ｎと、前記第１パッド下面部６ｇに対応する第２パッド下面部６ｐと、前記第１パッド内側面部６ｈに対応する第２パッド内側面部６ｑと、前記第１パッド斜面部６ｉに対応する第２パッド斜面部６ｒとを有する。また、第２上側スライディングパッド６ｂのうち第２パッド斜面部６ｒには、前記第１ボルト穴６ｊに対応する第２ボルト穴６ｓが形成されている。
【００６８】
図略の下側スライディングパッドは、外側ブーム材４の前端部の下部の内面に設けられている。この下側スライディングパッドは、内側ブーム材５が外側ブーム材４に対して軸方向に相対移動する際に内側ブーム材５の下部（内側底板部５ｆ）の外面に摺接する。また、伸縮ブーム２に吊り荷重が掛かったときには、この下側スライディングパッドを介して内側ブーム材５の下部から下向きの荷重が外側ブーム材４に伝達される。
【００６９】
スペーサ１０は、内側ブーム材５の外面からの上側スライディングパッド６の突出量を調節するために用いられるものである。このスペーサ１０は、第１スペーサ２０と、第２スペーサ２２とからなる。
【００７０】
第１スペーサ２０は、第１上側スライディングパッド６ａのうち外側ブーム材４の内面に対して接触する面の裏側の面と第１凹部５ｋの底面との間に介装される。この第１スペーサ２０は、第１凹部５ｋの第１横面５ｎと第１上側スライディングパッド６ａの第１パッド下面部６ｇとの間に介装される第１横面用スペーサ２０ａと、第１凹部５ｋの第１縦面５ｐと第１上側スライディングパッド６ａの第１パッド内側面部６ｈとの間に介装される第１縦面用スペーサ２０ｂとからなる。
【００７１】
第１横面用スペーサ２０ａは、平板状の部材である。この第１横面用スペーサ２０ａとしては、複数種の厚みのものが用意されている。内側ブーム材５の上面５ｈからの第１上側スライディングパッド６ａの突出量は、前記第１パッド下面部６ｇと前記第１横面５ｎとの間に介装される第１横面用スペーサ２０ａの厚みに応じて変化する。
【００７２】
第１縦面用スペーサ２０ｂは、平板状の部材である。この第１縦面用スペーサ２０ｂとしては、複数種の厚みのものが用意されている。内側ブーム材５の第１外側面５ｉからの第１上側スライディングパッド６ａの突出量は、前記第１パッド内側面部６ｈと前記第１縦面５ｐとの間に介装される第１縦面用スペーサ２０ｂの厚みに応じて変化する。
【００７３】
第２スペーサ２２は、第２上側スライディングパッド６ｂのうち外側ブーム材４の内面に対して接触する面の裏側の面と第２凹部５ｍの底面との間に介装される。この第２スペーサ２２は、第２凹部５ｍの第２横面５ｒと第２上側スライディングパッド６ｂの第２パッド下面部６ｐとの間に介装される第２横面用スペーサ２２ａと、第２凹部５ｍの第２縦面５ｓと第２上側スライディングパッド６ｂの第２パッド内側面部６ｑとの間に介装される第２縦面用スペーサ２２ｂとからなる。
【００７４】
第２横面用スペーサ２２ａは、平板状の部材である。この第２横面用スペーサ２２ａとしては、複数種の厚みのものが用意されている。内側ブーム材５の上面５ｈからの第２上側スライディングパッド６ｂの突出量は、前記第２パッド下面部６ｐと前記第２横面５ｒとの間に介装される第２横面用スペーサ２２ａの厚みに応じて変化する。
【００７５】
第２縦面用スペーサ２２ｂは、平板状の部材である。この第２縦面用スペーサ２２ｂとしては、複数種の厚みのものが用意されている。内側ブーム材５の第２外側面５ｊからの第２上側スライディングパッド６ｂの突出量は、前記第２パッド内側面部６ｑと前記第２縦面５ｔとの間に介装される第２縦面用スペーサ２２ｂの厚みに応じて変化する。
【００７６】
固定部材１２は、図７に示すように、前記凹部５ｋ，５ｍに嵌め込まれた上側スライディングパッド６を内側ブーム材５の後端部に固定するためのものである。この固定部材１２は、第１ボルト１２ａと、第２ボルト１２ｂとからなる。
【００７７】
第１ボルト１２ａは、第１凹部５ｋに嵌め込まれた第１上側スライディングパッド６ａを内側ブーム材５の後端部に固定するためのものである。この第１ボルト１２ａは、内側ブーム材５の内側から第１貫通穴５ｖに挿通されて第１上側スライディングパッド６ａの第１ボルト穴６ｊに螺合される。この状態で第１ボルト１２ａが締め込まれることにより、第１上側スライディングパッド６ａが、その第１パッド下面部６ｇと第１横面５ｎとの間で第１横面用スペーサ２０ａを挟み込むとともにその第１パッド内側面部６ｈと第１縦面５ｐとの間で第１縦面用スペーサ２０ｂを挟み込んだ状態で内側ブーム材５に締結される。
【００７８】
第２ボルト１２ｂは、第２凹部５ｍに嵌め込まれた第２上側スライディングパッド６ｂを内側ブーム材５の後端部に固定するためのものである。この第２ボルト１２ｂは、内側ブーム材５の内側から第２貫通穴５ｗに挿通されて第２上側スライディングパッド６ｂの第２ボルト穴６ｓに螺合される。この状態で第２ボルト１２ｂが締め込まれることにより、第２上側スライディングパッド６ｂが、その第２パッド下面部６ｐと第２横面５ｒとの間に第２横面用スペーサ２２ａを挟み込むとともにその第２パッド内側面部６ｑと第２縦面５ｓとの間に第２縦面用スペーサ２２ｂを挟み込んだ状態で内側ブーム材５に締結される。
【００７９】
押え部材１４（図４参照）は、凹部５ｋ，５ｍに嵌め込まれた上側スライディングパッド６ａ，６ｂを後側から支持するものである。この押え部材１４は、第１凹部５ｋに嵌め込まれた第１上側スライディングパッド６ａを後側から支持する第１押え部材１４ａと、第２凹部５ｍに嵌め込まれた第２上側スライディングパッド６ｂを後側から支持する第２押え部材１４ｂとからなる。
【００８０】
第１押え部材１４ａは、平板状の板材からなり、第１凹部５ｋに嵌め込まれた第１上側スライディングパッド６ａ、第１横面用スペーサ２０ａ及び第１縦面用スペーサ２０ｂの後面を覆うように内側ブーム材５の後端面に着脱可能に設けられている。
【００８１】
具体的には、第１押え部材１４ａには、内側ブーム材５の後端面のうち第１凹部５ｋの周りに設けられた複数の第１押えボルト穴５ｘ（図６参照）に対応する位置に当該第１押え部材１４ａの板厚方向に貫通する複数の穴部（図示せず）が設けられている。この各穴部に押えボルト１６が挿通されるとともにその押えボルト１６が内側ブーム材５の第１押えボルト穴５ｘに螺合されて締め付けられることにより、第１押え部材１４ａが内側ブーム材５の後端部に締結されている。そして、押えボルト１６を緩めて第１押えボルト穴５ｘから外すことにより、第１押え部材１４ａを内側ブーム材５から取り外せるようになっている。また、第１押え部材１４ａは、第１凹部５ｋに嵌め込まれた第１上側スライディングパッド６ａを前記カラー５ｇとの間で挟み込む。伸縮ブーム２に吊り荷重が掛かったときには、外側ブーム材４の上部に対して内側ブーム材５の上部が前方へ向かうような相対的な位置ずれが生じるが、このとき、外側ブーム材４の外側天板部４ａの下面に接触する第１上側スライディングパッド６ａには前後方向における剪断力が作用する。第１押え部材１４ａは、この第１上側スライディングパッド６ａに作用する剪断力に対抗して第１上側スライディングパッド６ａの変形を防止する。
【００８２】
第２押え部材１４ｂは、平板状の板材からなり、第２凹部５ｍに嵌め込まれた第２上側スライディングパッド６ｂ、第２横面用スペーサ２２ａ及び第２縦面用スペーサ２２ｂの後面を覆うように内側ブーム材５の後端面に着脱可能に設けられている。この第２押え部材１４ｂの構成は、前記第１押え部材１４ｂの構成と同様である。
【００８３】
次に、本実施形態の伸縮ブーム２において、内側ブーム材５の外面からの第１上側スライディングパッド６ａ及び第２上側スライディングパッド６ｂの突出量を調節する際の工程を説明する。
【００８４】
まず、内側ブーム材５を外側ブーム材４に最も没入させた状態とする。これにより、内側ブーム材５の後端部は、図２に示すように外側ブーム材４の内部においてその外側ブーム材４の後端部近傍に配置される。
【００８５】
第１上側スライディングパッド６ａの突出量を調節する場合には、外側ブーム材４の後方から外側ブーム材４の開口を通じて押えボルト１６（図４参照）を緩めて内側ブーム材５から取り外すとともに第１押え部材１４ａを内側ブーム材５から取り外す。
【００８６】
次に、第１ボルト１２ａ（図７参照）を緩め、第１凹部５ｋの第１横面５ｎと第１上側スライディングパッド６ａの第１パッド下面部６ｇとの間に後方から第１横面用スペーサ２０ａを挿入する。この第１横面用スペーサ２０ａには、それぞれ厚みの異なる複数のスペーサの中から第１上側スライディングパッド６ａの上方への突出量を目標突出量にすることが可能な厚みのものを選ぶ。同様に、第１凹部５ｋの第１縦面５ｐと第１上側スライディングパッド６ａの第１パッド内側面部６ｈとの間に後方から第１縦面用スペーサ２０ｂを挿入する。この第１縦面用スペーサ２０ｂには、それぞれ厚みの異なる複数のスペーサの中から第１上側スライディングパッド６ａの側方（内側ブーム材５の幅方向外側）への突出量を目標突出量にすることが可能な厚みのものを選ぶ。
【００８７】
その後、第１ボルト１２ａを締め込むことにより、第１上側スライディングパッド６ａ、第１横面用スペーサ２０ａ及び第１縦面用スペーサ２０ｂを内側ブーム材５に固定する。
【００８８】
最後に、第１押え部材１４ａ（図４参照）を第１上側スライディングパッド６ａの後面を覆うように配置するとともに、その第１押え部材１４ａを押えボルト１６で内側ブーム材５の後端面に締結する。
【００８９】
また、第２上側スライディングパッド６ｂの突出量を調節する場合の工程は、前記第１上側スライディングパッド６ａの突出量を調節する場合の工程と同様である。
【００９０】
以上説明したように、本実施形態では、内側ブーム材５の後端部の上部に設けられた両凹部５ｋ，５ｍが後側に開口しているから、内側ブーム材５を外側ブーム材４内に没入させた状態のまま、筒状の外側ブーム材４の後方からその外側ブーム材４の開口を通じて両押え部材１４ａ，１４ｂを内側ブーム材５の後端面から取り外すことができるとともにスペーサ２０，２２を交換することができる。すなわち、本実施形態では、内側ブーム材５を外側ブーム材４の内部に挿嵌したままでスペーサ２０，２２を交換して内側ブーム材５の後端部の上面及び側面からの上側スライディングパッド６ａ，６ｂの突出量を調節することができる。このため、従来のように内側ブーム材を外側ブーム材から抜き出して挿入し直すという煩雑かつ大掛かりな作業を繰り返すことなく、内側ブーム材５の後端部の上面及び側面からの上側スライディングパッド６ａ，６ｂの突出量を調節することができる。
【００９１】
また、本実施形態では、内側ブーム材５の上面５ｈとその上面５ｈに対向する外側ブーム材４の内面との間の隙間の大きさに応じた厚みの横面用スペーサ２０ａ，２２ａを上側スライディングパッド６ａ，６ｂの下面部６ｇ，６ｐと凹部５ｋ，５ｍの横面５ｎ，５ｒとの間に介装することで、内側ブーム材５の上面５ｈからの上側スライディングパッド６ａ，６ｂの突出量を内側ブーム材５の上面５ｈとその上面５ｈに対向する外側ブーム材４の内面との間の隙間の大きさに応じた突出量に調節することができる。また、内側ブーム材５の外側面とその外側面に対向する外側ブーム材４の内面との間の隙間の大きさに応じた厚みの縦面用スペーサ２０ｂ，２２ｂを上側スライディングパッド６ａ，６ｂの内側面部６ｈ，６ｑと凹部５ｋ，５ｍの縦面５ｐ，５ｓとの間に介装することで、内側ブーム材５の外側面５ｉ，５ｊからの上側スライディングパッド６ａ，６ｂの突出量を内側ブーム材５の外側面５ｉ，５ｊとその外側面５ｉ，５ｊに対向する外側ブーム材４の内面との間の隙間の大きさに応じた突出量に調節することができる。すなわち、本実施形態では、従来のようにスライディングパッドの表面を切削するという煩雑な作業を行うことなく、上側スライディングパッド６ａ，６ｂの突出量を調節することができる。
【００９２】
以上のことから、本実施形態では、内側ブーム材５の後端部の上部に設けられた上側スライディングパッド６ａ，６ｂの突出量を従来に比べて容易に調節することができる。
【００９３】
また、本実施形態では、第１凹部５ｋの第１横面５ｎと第１縦面５ｐに対して斜めに延びる第１ボルト１２ａで第１上側スライディングパッド６ａを上下方向と内側ブーム材５の幅方向の両方向について固定することができるため、第１上側スライディングパッド６ａを上下方向について固定するためのボルトと第１上側スライディングパッド６ａを内側ブーム材５の幅方向について固定するためのボルトとを個別に設ける場合に比べて第１上側スライディングパッド６ａを固定するためのボルトの数を削減することができる。また、第２ボルト１２ｂは、同様に第２上側スライディングパッド６ｂを上下方向と内側ブーム材５の幅方向の両方向について固定することができるため、第２上側スライディングパッド６ｂを固定するためのボルトの数を削減することができる。
【００９４】
また、本実施形態では、第１横面用スペーサ２０ａの厚みと第１縦面用スペーサ２０ｂの厚みとが異なることにより第１上側スライディングパッド６ａの位置が両スペーサ２０ａ，２０ｂの厚みが同じ場合の第１上側スライディングパッド６ａの位置から第１横面５ｎ又は第１縦面５ｐに垂直な方向にずれたとしても、その第１上側スライディングパッド６ａの位置ずれに追従して第１ボルト１２ａを第１貫通穴５ｖの中で第１斜面部５ｑの傾斜方向に沿ってずらすことにより、第１上側スライディングパッド６ａを有効に締結することができる。また、第２横面用スペーサ２２ａの厚みと第２縦面用スペーサ２２ｂの厚みとが異なった場合も同様に、第２上側スライディングパッド６ｂの位置ずれに追従して第２ボルト１２ｂを第２貫通穴５ｗの中で第２斜面部５ｔの傾斜方向に沿ってずらすことにより、第２上側スライディングパッド６ｂを有効に締結することができる。
【００９５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００９６】
例えば、凹部に嵌め込まれた上側スライディングパッドを内側ブーム材に固定するための構造は、上記実施形態で示した固定構造に限定されない。
【００９７】
また、第１貫通穴５ｖ及び第２貫通穴５ｗは、長穴でなくてもよい。
【符号の説明】
【００９８】
２  伸縮ブーム
４  外側ブーム材
５  内側ブーム材
５ｈ  上面
５ｉ  第１外側面
５ｊ  第２外側面
５ｋ  第１凹部
５ｍ  第２凹部
５ｎ  第１横面
５ｐ  第１縦面
５ｑ  第１斜面部
５ｒ  第２横面
５ｓ  第２縦面
５ｔ  第２斜面部
５ｖ  第１貫通穴
５ｗ  第２貫通穴
６  上側スライディングパッド（スライディングパッド）
６ａ  第１上側スライディングパッド（第１スライディングパッド）
６ｂ  第２上側スライディングパッド（第２スライディングパッド）
６ｊ  第１ボルト穴
６ｓ  第２ボルト穴
１２  固定部材
１２ａ  第１ボルト
１２ｂ  第２ボルト
１４  第１押え部材
１６  第２押え部材
２０  第１スペーサ
２０ａ  第１横面用スペーサ
２０ｂ  第１縦面用スペーサ
２２  第２スペーサ
２２ａ  第２横面用スペーサ
２２ｂ  第２縦面用スペーサ
【図１】
2012001321.tif 000003
【図２】
2012001321.tif 000004
【図３】
2012001321.tif 000005
【図４】
2012001321.tif 000006
【図５】
2012001321.tif 000007
【図６】
2012001321.tif 000008
【図７】
2012001321.tif 000009